(57)【要約】【課題】蓋と貯留部とで構成される集塵ボックスが誤って落下したとしても、その反動で貯留部内の塵埃が外部に飛散してしまうのを防止する。【解決手段】塵埃貯留ユニット５０の貯留部５１は、フィルタ３１から除去された塵埃を貯留すると共に、該塵埃を外部に排出可能な開口部５２が形成されている。蓋部５３は、開口部５２を閉じる閉姿勢、及び開口部５２を開放する開姿勢を採り得る。ヒンジ連結機構５９は、蓋部５３が貯留部５１に対し回動することで開姿勢を採るように、貯留部５１及び蓋部５３をヒンジ式で連結する。スライドロック機構６２は、蓋部５３が閉姿勢を採る際に、蓋部５３が貯留部５１に対し第１方向Ｄ１にスライドされた場合には、蓋部５３の回動を禁止する。また、スライドロック機構６２は、蓋部５３が貯留部５１に対し第１方向Ｄ１とは逆方向の第２方向Ｄ２にスライドされた場合には、蓋部５３を回動可能にする。【選択図】図７
2013238383.tif 000002
【特許請求の範囲】
【請求項１】
空気調和装置の室内機ケーシング（１１）に着脱可能に取り付けられ、前記室内機ケーシング内部に吸入された空気中の塵埃を捕集するフィルタ（３１）から該塵埃を除去して貯留する塵埃貯留装置（５０）であって、
前記フィルタから除去された塵埃を貯留すると共に、該塵埃を外部に排出可能な開口部（５２）が形成された貯留部（５１）と、
前記開口部を閉じる閉姿勢、及び前記開口部を開放する開姿勢を採り得る蓋部（５３）と、
前記蓋部が前記貯留部に対し回動することで前記開姿勢を採るように、前記貯留部及び前記蓋部をヒンジ式で連結するヒンジ連結機構（５９）と、
前記蓋部が前記閉姿勢を採る際に、前記蓋部が前記貯留部に対し第１方向にスライドされた場合には前記蓋部の回動を禁止し、前記蓋部が前記貯留部に対し前記第１方向とは逆方向の第２方向にスライドされた場合には前記蓋部を回動可能にするスライドロック機構（６２）と、
を備える、塵埃貯留装置（５０）。
【請求項２】
前記蓋部（５３）に支持され、前記フィルタから塵埃を除去するブラシ（５５）、
を更に備える、
請求項１に記載の塵埃貯留装置（５０）。
【請求項３】
前記ブラシ（５５）は、前記蓋部（５３）が前記閉姿勢を採る場合に前記貯留部側ではなく外側を向く前記蓋部の面上に位置しており、
前記蓋部には、前記ブラシに対応する位置に、前記ブラシにより除去された塵埃が前記貯留部内に流入するための塵埃流入用孔（５４）が設けられている、
請求項２に記載の塵埃貯留装置（５０）。
【請求項４】
前記貯留部及び前記蓋部は、前記室内機ケーシングの左右方向に沿って延びており、
前記第１方向及び第２方向は、前記貯留部及び前記蓋部の長手方向に沿う方向である、
請求項１から３のいずれか１項に記載の塵埃貯留装置（５０）。
【請求項５】
前記ヒンジ連結機構（５９）は、
前記長手方向に沿って延びる前記蓋部の回動軸（６０）と、
前記回動軸を前記貯留部側の所定位置で支持する軸受（６１）と、
によって構成されている、
請求項４項に記載の塵埃貯留装置（５０）。
【請求項６】
前記スライドロック機構（６２）は、前記蓋部側に設けられた蓋側係止部（６４）及び前記貯留部に設けられた貯留側係止部（６３）によって構成されており、
前記蓋部が前記第１方向にスライドされた際、前記蓋側係止部と前記貯留側係止部とが互いに係止されることで前記蓋部の回動が禁止され、
前記蓋部が前記第２方向にスライドされた際、前記蓋側係止部と前記貯留側係止部とが互いに離れることで前記蓋部の回動が可能になる、
請求項１から５のいずれか１項に記載の塵埃貯留装置（５０）。
【発明の詳細な説明】
【技術分野】
【０００１】
本発明は、塵埃貯留装置、特に、空気調和装置の室内機ケーシングに着脱可能に取り付けられ、室内機ケーシング内部に吸入された空気中の塵埃を捕集するフィルタから該塵埃を除去して貯留する装置、に関する。
【背景技術】
【０００２】
空気調和装置の室内機は、熱交換器や室内ファン等を備えている。熱交換器は、室内の空気を冷却または暖め、室内ファンは、室内の空気を熱交換器へと導入すると共に熱交換後の空気を室内へと戻すための空気流れを形成する。更に、室内機は、熱交換器の表面に塵埃が付着しないようにするためのフィルタを備えている。
【０００３】
近年では、例えば特許文献１（特開２００８−２１５７０９号公報）に示されるように、フィルタを自動で清掃する機能を搭載した室内機が主流となっている。フィルタから除去された塵埃は、室内ケーシングに対して着脱可能な集塵ボックスの内部に貯留される。そのため、ユーザは、集塵ボックスを室内機ケーシングから取り出して、集塵ボックス内の塵埃を廃棄することができる。
【発明の概要】
【発明が解決しようとする課題】
【０００４】
ところで、集塵ボックスには、塵埃を貯留する貯留部と、貯留部における塵埃の排出口を開閉する蓋部とで構成されているものがある。このような集塵ボックスには、蓋部に設けられた樹脂製の爪によって蓋部が貯留部に引っ掛けられることで、蓋部が貯留部に対して固定されるタイプのものがある。この場合、爪を外すことにより、蓋部は、貯留部から取り外される。
【０００５】
しかしながら、上述した構造の集塵ボックスにおいては、爪を丁寧に外さないと、爪を外した反動で貯留部内に溜められた塵埃が集塵ボックス外部に飛散してしまう虞がある。特に、ユーザが誤って集塵ボックスを落下させてしまうこともあり得る。この場合においても、落下した反動で爪が外れ、蓋部が貯留部から取り外されてしまい、その結果、貯留部内の塵埃が床にばら撒かれてしまう。
【０００６】
そこで、本発明の課題は、蓋部と貯留部とで構成される集塵ボックスが誤って落下したとしても、その反動で貯留部内の塵埃が外部に飛散してしまうのを防止することにある。
【課題を解決するための手段】
【０００７】
本発明の第１観点に係る塵埃貯留装置は、空気調和装置の室内機ケーシングに着脱可能に取り付けられている。塵埃貯留装置は、室内機ケーシング内部に吸入された空気中の塵埃を捕集するフィルタから、該塵埃を除去して貯留する装置である。この塵埃貯留装置は、貯留部と、蓋部と、ヒンジ連結機構と、スライドロック機構とを備える。貯留部は、フィルタから除去された塵埃を貯留すると共に、該塵埃を外部に排出可能な開口部が形成されている。蓋部は、開口部を閉じる閉姿勢、及び開口部を開放する開姿勢を採り得る。ヒンジ連結機構は、蓋部が貯留部に対し回動することで開姿勢を採るように、貯留部及び蓋部をヒンジ式で連結する。スライドロック機構は、蓋部が閉姿勢を採る際に、蓋部が貯留部に対し第１方向にスライドされた場合には、蓋部の回動を禁止する。また、スライドロック機構は、蓋部が閉姿勢を採る際に、蓋部が貯留部に対し第１方向とは逆方向の第２方向にスライドされた場合には、蓋部を回動可能にする。
【０００８】
この塵埃貯留装置によると、貯留部内の塵埃を廃棄する際、先ずはユーザによって蓋部を第２方向にスライドする作業が行われる。これにより、蓋部及び貯留部のロックが外され、蓋部は貯留部に対して回動できるようになる。つまり、スライドによりロックが外された状態時、蓋部は貯留部から完全に取り外されるのではなく、それらの一部が互いにヒンジ連結機構により連結された状態となる。従って、スライドにより、蓋部と貯留部とのロックを静かに解除することができると共に、ユーザが誤って塵埃貯留装置を落としてしまったとしても、貯留部には蓋部が連結されているため、その反動で塵埃が飛び散る危険性が抑えられる。そして、スライドによって蓋部と貯留部とのロックを解除した場合に、蓋部を誤って落下させてしまうことを防止することもできる。更には、貯留部内のメンテナンスを行う際や、貯留部内の塵埃を廃棄する際、ユーザは片手で塵埃貯留装置を持つことができ、ユーザは作業がし易くなる。
【０００９】
本発明の第２観点に係る塵埃貯留装置は、第１観点に係る塵埃貯留装置において、ブラシを更に備える。ブラシは、蓋部に支持され、フィルタから塵埃を除去する。
【００１０】
これにより、ブラシは、蓋部と共に回動することとなる。
【００１１】
本発明の第３観点に係る塵埃貯留装置は、第２観点に係る塵埃貯留装置において、ブラシは、蓋部が閉姿勢を採る場合に、貯留部側ではなく外側を向く蓋部の面上に位置している。蓋部には、ブラシに対応する位置に、塵埃流入用孔が設けられている。塵埃流入用孔は、ブラシにより除去された塵埃が貯留部内に流入するための孔である。
【００１２】
これにより、ブラシは、フィルタと直接接触してフィルタから塵埃を除去することができる。そして、除去された塵埃は、蓋部の塵埃流入用孔を介して貯留部の内部に確実に溜められるようになる。
【００１３】
本発明の第４観点に係る塵埃貯留装置は、第１観点から第３観点のいずれかに係る塵埃貯留装置において、貯留部及び蓋部は、室内機ケーシングの左右方向に沿って延びている。第１方向及び第２方向は、貯留部及び蓋部の長手方向に沿う方向である。
【００１４】
この塵埃貯留装置によると、蓋部を貯留部に対してスライドさせる距離が十分に確保される。そして、蓋部が長手方向にスライドされることで、簡単に蓋部は回動可能な状態となるため、ユーザの作業性が向上する。
【００１５】
本発明の第５観点に係る塵埃貯留装置は、第４観点に係る塵埃貯留装置において、ヒンジ連結機構は、回動軸と、軸受とによって構成されている。回動軸は、長手方向に沿って延びる蓋部の回動軸である。軸受は、回動軸を貯留部側の所定位置で支持する。
【００１６】
このような簡単な構成のヒンジ連結機構により、蓋部は、長手方向を軸として回動することができる。
【００１７】
本発明の第６観点に係る塵埃貯留装置は、第１観点から第５観点のいずれかに係る塵埃貯留装置において、スライドロック機構は、蓋部側に設けられた蓋側係止部、及び貯留部側に設けられた貯留側係止部によって構成されている。蓋部が第１方向にスライドされた際、蓋側係止部と貯留側係止部とが互いに係止されることで、蓋部の回動が禁止される。蓋部が第２方向にスライドされた際、蓋側係止部と貯留側係止部とが互いに離れることで、蓋部の回動が可能になる。
【００１８】
このような簡単な構成のスライドロック機構により、蓋部と貯留部とは容易にロック／ロック解除される。
【発明の効果】
【００１９】
本発明の第１観点に係る塵埃貯留装置によると、蓋部と貯留部とのロックを静かに解除することができると共に、ユーザが誤って塵埃貯留装置を落としてしまったとしても、その反動で塵埃が飛び散る危険性が抑えられる。そして、スライドによって蓋部と貯留部とのロックを解除した場合に、蓋部を誤って落下させてしまうことを防止することもできる。更には、貯留部内のメンテナンスを行う際や、貯留部内の塵埃を廃棄する際、ユーザは片手で塵埃貯留装置を持つことができ、ユーザは作業がし易くなる。
【００２０】
本発明の第２観点に係る塵埃貯留装置によると、ブラシは、蓋部と共に回動することとなる。
【００２１】
本発明の第３観点に係る塵埃貯留装置によると、ブラシは、フィルタと直接接触してフィルタから塵埃を除去することができる。そして、除去された塵埃は、蓋部の塵埃流入用孔を介して貯留部の内部に確実に溜められるようになる。
【００２２】
本発明の第４観点に係る塵埃貯留装置によると、蓋部を貯留部に対してスライドさせる距離が十分に確保される。更に、蓋部が長手方向にスライドされることで、簡単に蓋部は回動可能な状態となるため、ユーザの作業性が向上する。
【００２３】
本発明の第５観点に係る塵埃貯留装置によると、簡単な構成のヒンジ連結機構により、蓋部は長手方向を軸として回動することができる。
【００２４】
本発明の第６観点に係る塵埃貯留装置によると、簡単な構成のスライドロック機構により、蓋部と貯留部とは容易にロック／ロック解除される。
【図面の簡単な説明】
【００２５】
【図１】本実施形態に係る空気調和装置の室内機の外観図。
【図２】図１の室内機を、図１のＩＩ−ＩＩ線で切断した場合の断面図。
【図３】フィルタユニットの正面視。
【図４】図２におけるフィルタの下部折り返し部分付近の拡大図。
【図５】本実施形態に係る塵埃貯留ユニットの外観図。
【図６】図５の塵埃貯留ユニットの背面図。
【図７】貯留部に対し蓋部が開姿勢を採る場合の、塵埃貯留ユニットの外観図。
【図８】（ａ）貯留部の外観図。  （ｂ）貯留部に設けられた貯留側係止部付近の拡大図。  （ｃ）貯留部に設けられた軸受付近の拡大図。
【図９】（ａ）蓋部の表面を表す図。  （ｂ）蓋部に設けられた回転軸付近の拡大図。
【図１０】（ａ）蓋部の裏面を表す図。  （ｂ）蓋部に設けられた蓋側係止部付近の拡大図。
【図１１】スライドロック機構の概念を簡略化して表した図。
【発明を実施するための形態】
【００２６】
以下、本発明に係る塵埃貯留装置について、図面を参照しつつ詳述する。なお、以下の実施形態は、本発明の具体例であって、本発明の技術的範囲を限定するものではない。
【００２７】
（１）室内機の構成
図１は、本発明の一実施形態に係る塵埃貯留ユニット５０（塵埃貯留装置に相当）が搭載された空気調和装置の室内機１００の外観図である。空気調和装置は、室外に設置されている室外機（図示せず）と、室内の壁面等に取り付けられている室内機１００とにより構成された、セパレートタイプの空調機である。室内機１００及び室外機は、冷媒配管（図示せず）を介して互いに接続されている。室内機１００は、室内の冷房運転及び暖房運転に加え、更には後述するフィルタ３１やブラシ５５（図４参照）を自動で清掃する自動清掃運転を行うことができる。
【００２８】
室内機１００は、図１〜４に示すように、主として、ケーシング１１（室内機ケーシングに相当）と、室内熱交換器１３と、室内ファン１５と、フィルタユニット３０と、塵埃貯留ユニット５０とを備える。
【００２９】
尚、以下の説明においては、「上」「下」「左」「右」「正面」「背面」等の方向を示す表現を適宜用いているが、これらは、室内機１００が図１の状態で室内の壁面等に設置された状態での各方向を表す。
【００３０】
（１−１）ケーシング
ケーシング１１は、図１に示すように、左右方向（図１のＷ方向）に細長い箱状の形状を有している。具体的に、ケーシング１１は、図１，２に示すように、天面板１１ａ、前面板１１ｂ、背面板１１ｃ及び下面板１１ｄによって立体空間を形成し、その立体空間内に室内熱交換器１３、室内ファン１５、フィルタユニット３０及び塵埃貯留ユニット５０が収納されている。天面板１１ａは、主として、ケーシング１１の天面を構成し、前面板１１ｂは、主として、ケーシング１１の正面を構成する。なお、前面板１１ｂは、その上端が天面板１１ａの一部分にヒンジ式にて回動自在に支持されている。背面板１１ｃは、主として、ケーシング１１の背面を構成し、下面板１１ｄは、主として、ケーシング１１の下面を構成している。背面板１１ｃが、室内の壁面に設置された取り付け板（図示せず）にビス止め等によって取り付けられることで、室内機１００は、室内の壁面に設置されることとなる。
【００３１】
そして、ケーシング１１の天面板１１ａには、該面１１ａの前側から後側にかけて吸込口２１が設けられている。この吸込口２１からは、該吸込口２１近傍の室内空気が、室内ファン１５の駆動によってケーシング１１内部へと取り込まれ、室内熱交換器１３の前側熱交換部１３ａ（後述）及び後側熱交換部１３ｂ（後述）それぞれに送られる。なお、図２の点線の矢印Ａは、一例として、吸込口２１及び前側熱交換部１３ａを介して室内ファン１５へと送られる室内空気の流れを表している。
【００３２】
ケーシング１１の下面板１１ｄには、吹出口２２が形成されている。吹出口２２からは、吸込口２１から吸い込まれ室内熱交換器１３にて熱交換された後の室内空気が、室内へと吹き出される。図２の点線の矢印Ｂは、吹出口２２を介して室内へと送られる空気の流れを表している。
【００３３】
なお、吹出口２２付近には、水平フラップ２３がケーシング１１に対して回動自在に取り付けられている。水平フラップ２３は、フラップ用モータ（図示せず）によって駆動することができ、空調室内機１００の運転状態に応じて吹出口２２を開閉する。更に、水平フラップ２３は、吹出口２２から吹き出された室内空気がユーザの所望する方向へと案内されるように、室内空気の吹き出し方向を変更する役割を担う。
【００３４】
（１−２）室内熱交換器
室内熱交換器１３は、複数のフィンと複数の伝熱管とで構成されている。室内熱交換器１３は、室内機１００の運転状態に応じて蒸発器または凝縮器として機能することで、冷媒配管内を通過する冷媒と該熱交換器１３を通過する空気との間で熱交換を行わせる。
【００３５】
特に、室内熱交換器１３は、図２に示すように、側面視において両端が下方に向いて屈曲する略逆Ｖ字型の形状を有し、この略Ｖ字型に囲まれるようにして室内ファン１５が位置している。このような形状を有する室内熱交換器１３のうち、室内ファン１５の前方を覆う熱交換部を、「前側熱交換部１３ａ」といい、室内ファン１５の後側を覆う熱交換部を、「後側熱交換部１３ｂ」という。即ち、本実施形態に係る室内熱交換器１３は、前側熱交換部１３ａと後側熱交換部１３ｂとが頂点１３ｃにおいて接続された略逆Ｖ字形状を有している。
【００３６】
（１−３）室内ファン
室内ファン１５は、ケーシング１１の内部に位置しており、図１に示すＷ方向に細長い略円筒形状のクロスフローファンである。室内ファン１５は、駆動することで、吸込口２１から吸い込まれて室内熱交換器１３に流入した後、該熱交換器１３を通過して吹出口２２から室内へと供給されるといった、室内空気の流れを生成する（図２の点線の矢印Ａ，Ｂを参照）。
【００３７】
この室内ファン１５の駆動軸は、室内ファンモータ（図示せず）の出力軸に接続されている。室内ファンモータが駆動した際、該モータの出力軸を介してモータの出力が室内ファン１５の駆動軸へと伝達されることで、室内ファン１５は駆動することができる。
【００３８】
（１−４）フィルタユニット
フィルタユニット３０は、図２に示すように、ケーシング１１内において、ケーシング１１の天面板１１ａと室内熱交換器１３との間、つまりは室内熱交換器１３に対して室内空気の流れ方向の上流側に配置されると共に、ケーシング１１内部に着脱可能に装着される。フィルタユニット３０は、室内熱交換器１３の表面が空気中の塵埃によって汚染されるのをなるべく防ぐためのものであって、図３に示すように、主として、フィルタ３１、メインフレーム３２及び駆動ローラ３６を有する。
【００３９】
（１−４−１）フィルタ
フィルタ３１は、冷房運転及び暖房運転が行われる際、主に前側熱交換部１３ａ及び後側熱交換部１３ｂのうち吸込口２１に対応する部分を覆うように位置している。フィルタ３１は、ケーシング１１の外部から吸込口２１を介して吸い込まれてきた室内空気から塵埃を捕集するものであって、例えば樹脂製の糸で平織りまたは綾織された網で構成されている。フィルタ３１は、図２に示すように、環形状に形成されており、図３に示すように、フィルタユニット３０の正面視において右側と左側とに、並ぶようにして２つ設けられている。
【００４０】
なお、フィルタ３１には、一般のフィルタに見られるような補強用の縁やリブが設けられていないため、フィルタ３１は、自身で安定した形状を維持することができない。そのため、フィルタ３１は、メインフレーム３２によって支持されることで、環形状の形状を保っている。
【００４１】
（１−４−２）メインフレーム
メインフレーム３２は、図２に示すように、室内熱交換器１３の前方の一部分及び上方の一部分を覆うように屈曲した形状を有しており、図３に示すように、主にフィルタユニット３０の正面視において右側に位置する右側フレーム部材３３と、左側に位置する左側フレーム部材３４とを有する。各フレーム部材３３，３４には、いずれも室内熱交換器１３に対向する部分において、格子状の開口が設けられている。
【００４２】
また、各フレーム部材３３，３４の正面における左右端部３３ａ，３３ｂ，３４ａ，３４ｂそれぞれには、複数の突起ｕｎ１が所定間隔を空けて並んで形成されている。右側フレーム部材３３における左端部３３ａと右端部３３ｂとの間の最短距離、ならびに、左側フレーム部材３４における左端部３４ａと右端部３４ｂとの間の最短距離は、フィルタ３１の幅よりも少し大きい。従って、環形状のフィルタ３１がメインフレーム３２に掛け渡された時、フィルタ３１の端面は、各突起ｕｎ１と対峙する。この突起ｕｎ１により、フィルタ３１の両端が各フレーム部材３３，３４に沿って案内されるため、フィルタ３１の蛇行分店が防止される。
【００４３】
また、メインフレーム３２は、外側桟３５を有している。外側桟３５は、フィルタ３１下部の折り返し部分に位置するように、各フレーム部材３３，３４の下端部に取り付けられている。つまり、外側桟３５は、フィルタ３１を挟んで駆動ローラ３６と対峙する。この外側桟３５により、フィルタ３１がたとえ波打ったとしても、フィルタ３１は、他の部材と接触する前に外側桟３５に接触することとなる。そのため、仮に駆動ローラ３６の近傍に別の可動部材（例えば、図４のブラシ５５）が存在している場合でも、フィルタ３１は、可動部材に噛み込まれることなく、スムーズに移動することが可能となる。
【００４４】
（１−４−３）駆動ローラ
駆動ローラ３６は、フィルタ３１をメインフレーム３２上を周回させるためのものであって、ローラ用モータ（図示せず）によって回転することができる。
【００４５】
具体的に、駆動ローラ３６の回転軸の端部には、ローラギア（図示せず）が固定されている。駆動ローラ３６の周面には、いわゆるパイル織りされた織物基布が貼り付けられている。駆動ローラ３６の周面における織物基布は、フィルタ３１の網目に張り込んでおり、駆動ローラ３６とフィルタ３１との間には滑りが生じ難くなっている。駆動ローラ３６の回転軸には、ローラ用モータの出力軸が接続されている。そのため、ローラ用モータが回転すると、その回転が駆動ローラ３６の回転軸に伝達され、駆動ローラ３６が回転する。これにより、フィルタ３１は、メインフレーム３２に沿って周回することができるようになる。
【００４６】
なお、ローラ用モータは、例えばステッピングモータで構成されており、ＣＷ（Ｃｌｏｃｋ  Ｗｉｓｅ）またはＣＣＷ（Ｃｏｕｎｔｅｒ  Ｃｌｏｃｋ  Ｗｉｓｅ）方向へと回転することが可能である。ローラ用モータの回転方向及び回転数は、図示しない駆動制御装置によって駆動制御される。これにより、フィルタ３１がどの程度周回するか（つまり、フィルタ３１の移動距離）が制御される。
【００４７】
（１−５）塵埃貯留ユニット
塵埃貯留ユニット５０は、フィルタ３１が捕集した塵埃をフィルタ３１から除去して貯留するためのユニットであって、ケーシング１１に着脱可能に取り付けられている。具体的には、塵埃貯留ユニット５０は、図２，４に示すように、ケーシング１１内部におけるフィルタ３１下部の折り返し部分近傍（具体的には、フィルタ３１下部の折り返し部分の更に下方）において、駆動ローラ３６とフィルタ３１を介して接触するように位置している。
【００４８】
特に、本実施形態に係る塵埃貯留ユニット５０は、フィルタ３１の清掃のみならず、フィルタ３１を直接清掃するブラシ５５（後述）自体の清掃も行い、フィルタ３１及びブラシ５５から取り除いた塵埃を貯留することが可能である。このような塵埃貯留ユニット５０の詳細な構成については、後述する。
【００４９】
（１−６）その他の構成
上述した他に、室内機１００は、室内機１００を構成する各種機器の制御を行う室内制御部（図示せず）を備えている。室内制御部は、ＣＰＵ及びメモリで構成されるマイクロコンピュータであって、ケーシング１１の前方部分に収まっている。例えば、室内制御部は、フラップ用モータ、室内ファンモータ、ローラ用モータ、及び後述するブラシ駆動用モータ（図示せず）と接続されている。室内制御部は、これらのモータの駆動制御を行うことで、水平フラップ２３の開閉制御や角度制御、室内ファン１５の風量制御、フィルタ３１の周回制御、ブラシ５５の回転制御等を行う。
【００５０】
（２）塵埃貯留ユニットの構成
本実施形態に係る塵埃貯留ユニット５０は、図４〜１０に示すように、主として、貯留部５１と、蓋部５３と、ブラシ５５と、ブラシ清掃部５７と、ヒンジ連結機構５９と、スライドロック機構６２とを備える。
【００５１】
（２−１）貯留部
貯留部５１は、図５〜８に示すように、室内機１００のケーシング１１の長手方向（左右方向、つまりはＷ方向）に沿って延びている。貯留部５１は、フィルタ３１から除去された塵埃、更にはブラシ５５から除去された塵埃を貯留することが可能なように、下方向に凸状の形状を有している（図７，８参照）。そして、貯留部５１の上側には、貯留部５１内部の塵埃を外部に排出可能な開口部５２が形成されている。
【００５２】
このような貯留部５１によると、ユーザによって貯留部５１内部の塵埃を廃棄する動作が行われる際には、開口部５２側が下方向に向けられることにより、ユーザは、塵埃に直接手を触れることなく貯留部５１内の塵埃を開口部５２を介して廃棄することができる。
【００５３】
なお、貯留部５１の深さは、塵埃貯留ユニット５０が配置される室内機１００のケーシング１１内部のサイズや、フィルタ３１によって捕集される塵埃の平均的な量に基づき予想される貯留部５１内に貯留されるべき塵埃の量等に応じて、適宜決定される。
【００５４】
（２−２）蓋部
蓋部５３は、貯留部５１と同様、図５〜７，９〜１０に示すように、室内機１００のケーシング１１の長手方向（Ｗ方向）に沿って延びる矩形形状を有している。そして、蓋部５３は、図５〜６に示すように貯留部５１の開口部５２を閉じる閉姿勢、及び図７に示すように開口部５２を開放する開姿勢、のいずれかを採ることができる。即ち、蓋部５３は、貯留部５１内の塵埃が勝手に外部に流出しないよう、貯留部５１に対する蓋としての役割を担うものであると言える。
【００５５】
特に、本実施形態に係る蓋部５３は、貯留部５１とは別々の部材として形成されている。しかし、蓋部５３は、図７に示すように、後述するヒンジ連結機構５９によって貯留部５１に対し回動可能に連結されている。更に、蓋部５３は、後述するスライドロック機構６２によって、貯留部５１に対してロックされているロック状態、及び貯留部５１に対するロックが解除されたロック解除状態、のいずれかを採ることができる。ロック状態を採る場合、蓋部５３は、貯留部５１に対し回動することはできない。しかし、ロック解除状態を採る場合、蓋部５３は、貯留部５１に対し回動することが可能となる。即ち、蓋部５３は、貯留部５１とヒンジ連結機構５９を介して連結された状態のままで、ロック状態またはロック解除状態を採る。そのため、ユーザが塵埃貯留ユニット５０を誤って落下させてしまっただけでは、蓋部５３は貯留部５１からは取り外されることがないようになっている。
【００５６】
そして、蓋部５３の上方には、図５に示すようにブラシ５５が位置しており、蓋部５３には、図７に示すように、ブラシ５５に対応する位置に塵埃流入用孔５４が形成されている。具体的に、塵埃流入用孔５４は、蓋部５３の略中央において、室内機１００の長手方向（Ｗ方向）に延びるようにして設けられている。この塵埃流入用孔５４は、ブラシ５５によってフィルタ３１より除去された塵埃が貯留部５１内に流入するための孔である。更に、後述するように、ブラシ５５自体はブラシ清掃部５７によって清掃されるため（図４，５参照）、ブラシ５５自体に付着していた塵埃も、塵埃流入用孔５４を介して貯留部５１内に流入されることとなる。
【００５７】
また、蓋部５３には、図６〜７に示すように、スライド用つまみ７０が取り付けられている。スライド用つまみ７０は、蓋部５３をスライドさせる際に利用される。
【００５８】
（２−３）ブラシ
ブラシ５５は、図５〜６に示すように、貯留部５１及び蓋部５３と同様、室内機１００のケーシング１１の長手方向（Ｗ方向）に沿って細長い形状を有しており、長手方向に直交する断面が略円形の形状を有している。ブラシ５５は、蓋部５３の表面５３ｃ、つまりは、蓋部５３が図５〜６の閉姿勢を採る場合に貯留部５１側ではなく外側を向く蓋部５３の面５３ｃ上に、支持されている。そして、ブラシ５５は、この表面５３ｃ上に回転可能に支持されており、フィルタ３１に直接接触することによって当該フィルタ３１から塵埃を除去する。具体的には、図５，７に示すように、ブラシ５５の回転中心軸５５ａの両端部は、蓋部５３の長手方向の端部５３ａ，５３ｂそれぞれに軸支されている。
【００５９】
従って、ブラシ５５は、蓋部５３がヒンジ連結機構５９によって貯留部５１に対し回動する場合には、蓋部５３と一緒に貯留部５１に対し回動する。また、ブラシ５５自体は、蓋部５３が貯留部５１にロックされている状態及びロックが解除された状態のいずれの状態であるか否かに関わらず、蓋部５３の表面５３ｃ上において回転することができる。
【００６０】
このようなブラシ５５は、図４に示すように、芯材５６ａと、芯材５６ａの周面に設けられた複数の線材５６ｂとによって構成されており、線材５６ｂは、フィルタ３１に接触可能な長さを有している。
【００６１】
なお、図示はしていないが、ブラシ５５は、ブラシ駆動用モータを駆動源として回転する。ブラシ駆動用モータは、例えば塵埃貯留ユニット５０とは別に室内機１００のケーシング１１内部に位置しており、その出力軸は、塵埃貯留ユニット５０がケーシング１１に装着された際にブラシ５５の回転中心軸５５ａに連結されるようになっている。ブラシ駆動用モータは、例えばステッピングモータで構成されることができ、上記室内制御部により駆動制御される。例えば、ブラシ５５が回転する際は、フィルタ３１の移動が停止し、逆にフィルタ３１が移動している際は、ブラシ５５は回転を停止した状態となるように、室内制御部はブラシ駆動用モータの駆動制御を行う。
【００６２】
（２−４）ブラシ清掃部
ブラシ清掃部５７は、ブラシ５５と同様、図５に示すように、蓋部５３の表面５３ｃ上に取り付けられている。より具体的には、ブラシ清掃部５７は、図５に示すように、ケーシング１１の長手方向（Ｗ方向）に沿って配置され、且つ図４に示すように、蓋部５３の表面５３ｃからブラシ５５に向けて突出している。更には、ブラシ清掃部５７は、ブラシ５５の回転方向（つまり、図４のブラシ５５における矢印の方向）に逆らうようにして傾斜している。
【００６３】
これにより、ブラシ清掃部５７は、ブラシ５５が図４の矢印の方向に回転する場合、ブラシ５５の線材５６ｂの間の塵埃を掻き落とすことができる。
【００６４】
（２−５）ヒンジ連結機構
ヒンジ連結機構５９は、図７に示すように、蓋部５３が貯留部５１に対し回動することで開姿勢を採るように、貯留部５１及び蓋部５３をヒンジ式で連結する機構である。このようなヒンジ連結機構５９は、図８，９に示すように、回動軸６０と軸受６１とで構成される。
【００６５】
回動軸６０は、蓋部５３が貯留部５１に対し回動する際の軸となる部材である。具体的に、回動軸６０は、図９（ａ）に示すように、矩形状の蓋部５３の長辺５３ｅ上において、長手方向（Ｗ方向）に互いに所定距離離れて３つ設けられている。図９（ｂ）に示すように、蓋部５３の長辺５３ｅの一部は切り欠かれており、その切り欠き部分を繋ぐようにして、３つの回動軸６０それぞれは長手方向（Ｗ方向）に沿って延びている。その際、各回動軸６０と蓋部５３との間には、長手方向（Ｗ方向）に沿って矩形状の開口６５が形成されている。回動軸６０の断面は円形であって、その直径及び回動軸６０の長手方向（Ｗ方向）の幅ｄ１は、例えば蓋部５３や貯留部５１の強度等によって適宜決定されている。
【００６６】
また、開口６５の短辺方向の幅ｄ２は、後述する軸受６１の突出方向の突出幅ｄ４（図８（ｃ）参照）との関係で適宜決定されている。つまり、この開口６５は、蓋部５３の回動の際、貯留部５１側にある軸受６１が蓋部５３側にある回動軸６０を掴んだまま、蓋部５３がスムーズに回動できるようにするための開口であると言える。
【００６７】
軸受６１は、回動軸６０を貯留部５１側の所定位置にて支持するための部材である。具体的に、軸受６１は、図８（ａ）に示すように、貯留部５１の開口部５２を形作る長辺５１ｂ上において、長手方向（Ｗ方向）に互いに所定距離離れるようにして３つ設けられている。つまり、３つの軸受６１は、貯留部５１において、それぞれ蓋部５３側付近に形成されており、各軸受６１の位置は、蓋部５３側に設けられた３つの回動軸６０の位置それぞれに対応している。そして、３つの軸受６１それぞれは、図８（ｃ）に示すように、貯留部５１の長辺５１ｂ上において、貯留部５１の内側から外側に向かって回動軸６０を掴むことができるように、外側に幅ｄ４だけ突出すると共に外側に開放されたＣ字型の形状を有している。各軸受６１の内径は、対応する回動軸６０の外周よりも若干大きい。
【００６８】
また、各軸受６１の長手方向の幅ｄ３は、回動軸６０の長手方向（Ｗ方向）の幅ｄ１と同様、例えば蓋部５３や貯留部５１の強度等によって適宜決定されるが、特に各軸受６１の長手方向の幅ｄ３は、対応する回動軸６０の長手方向（Ｗ方向）の幅ｄ１（図９（ｂ）参照）よりも短くなっている。
【００６９】
これにより、ユーザによって、蓋部５３が貯留部５１に対し第１方向Ｄ１または第２方向Ｄ２にスライドされる際（図６）、各軸受６１は、回動軸６０上を該軸６０の長手方向（Ｗ方向）の幅ｄ１の分だけスライドすることが可能となる。即ち、各軸受６１の長手方向の幅ｄ３と回動軸６０の長手方向（Ｗ方向）の幅ｄ１との差が、蓋部５３が貯留部５１に対しスライド可能なスライド距離であると言える。
【００７０】
なお、本実施形態に係る図７〜１０では、ヒンジ連結機構５９が、貯留部５１及び蓋部５３の長手方向（Ｗ方向）の両端部付近に１つずつと、長手方向の中央付近に１つの、合計３つが設けられている場合を例示している。しかし、塵埃貯留ユニット５０に設けられるヒンジ連結機構５９の数は、これに限定されない。
【００７１】
（２−６）スライドロック機構
スライドロック機構６２は、蓋部５３が閉姿勢を採る際に、ユーザによって蓋部５３が貯留部５１に対し第１方向Ｄ１または第２方向Ｄ２にスライドされることで（図６参照）、蓋部５３が貯留部５１に対しロック状態またはロック解除状態を採るように、蓋部５３の採り得る状態を変化させる機構である。具体的に、スライドロック機構６２は、蓋部５３が閉姿勢を採る際、ユーザによって蓋部５３が貯留部５１に対し第１方向Ｄ１にスライドされた場合、蓋部５３の回動を禁止する（即ち、ロック状態）。逆に、スライドロック機構６２は、蓋部５３が閉姿勢を採る際、ユーザによって蓋部５３が貯留部５１に対し第１方向Ｄ１とは逆の方向Ｄ２にスライドされた場合、図７に示すように蓋部５３の回動を可能にする（即ち、ロック解除状態）。
【００７２】
ここで、本実施形態におけるスライド方向である第１方向Ｄ１及び第２方向Ｄ２は、図６に示すように、貯留部５１及び蓋部５３の長手方向（Ｗ方向）に沿う方向である。従って、ユーザは、蓋部５３を貯留部５１に対しスライドさせる際には、貯留部５１を一方の手で添えて、もう片方の手でスライド用つまみ７０を第１方向Ｄ１または第２方向Ｄ２にスライドさせることによって、蓋部５３を第１方向Ｄ１または第２方向Ｄ２に簡単にスライドさせることができる。このように、第１方向Ｄ１及び第２方向Ｄ２が貯留部５１及び蓋部５３の長手方向に沿う方向であることにより、蓋部５３を貯留部５１に対してスライドさせる距離を十分に確保できると共に、ユーザは作業がし易くなる。
【００７３】
このようなスライドロック機構６２は、図７〜８，１０に示すように、貯留側係止部６３と蓋側係止部６４とによって構成されている。
【００７４】
貯留側係止部６３は、図８（ａ）に示すように、貯留部５１の内側の面５１ａ上であってかつ蓋部５３側付近において、長手方向（Ｗ方向）に互いに所定距離離れるようにして３つ設けられている。より具体的には、３つの貯留側係止部６３は、貯留部５１の内側の面５１ａ上の比較的上部分に位置しており、更には、開口部５２の縁部を形作る長辺５１ｂ，５１ｃのうちヒンジ連結機構５９（より具体的には、軸受６１）が設けられていない側の辺５１ｃに形成されている。そして、３つの貯留側係止部６３それぞれは、図９（ｂ）に示すように、貯留部５１の内側の面５１ａから貯留部５１の内部に突出しつつ、その先端部分が長手方向（Ｗ方向）に折り曲げられた形状を有している。
【００７５】
蓋側係止部６４は、図１０（ａ）に示すように、蓋部５３の面のうち、蓋部５３が閉姿勢を採る場合に貯留部５１側を向く面（以下、裏面５３ｄという）上であって、且つヒンジ連結機構５９（より具体的には、回動軸６０）が設けられている側の長辺５３ｅとは反対側の長辺５３ｆ付近に設けられている。蓋側係止部６４も、貯留側係止部６３と同様、互いに所定距離離れるようにして３つ設けられており、各蓋側係止部６４の位置は、３つの貯留側係止部６３それぞれに対応している。そして、３つの蓋側係止部６４それぞれは、図７及び１０（ｂ）に示すように、蓋部５３から貯留部５１側へと突出しつつ、その先端部分が長手方向（Ｗ方向）に折り曲げられた形状を有している。
【００７６】
特に、図１１に示すように、蓋部５３が閉姿勢を採る際、互いに対応する蓋側係止部６４の突出部分６４ａ及び貯留側係止部６３の突出部分６３ａ、蓋側係止部６４の折り曲げ部分６４ｂ及び貯留側係止部６３の折り曲げ部分６３ｂは、それぞれ平行に延設された状態となっている。これにより、蓋部５３が第１方向Ｄ１にスライドされた際、貯留側係止部６３と蓋側係止部６４とが互いに係止されることで、蓋部５３は、貯留部５１に対しロックされた状態、つまりは回動禁止の状態となる。逆に、蓋部５３が第２方向Ｄ２にスライドされた際、それまで互いに係止されていた貯留側係止部６３及び蓋側係止部６４は互いに離れるため、蓋部５３は、貯留部５１に対しロック解除の状態となり、貯留部５１に対し回動が可能となる。
【００７７】
（３）塵埃貯留ユニットのメンテナンスについて
（３−１）塵埃貯留ユニットをメンテナンスする場合
ここでは、上述した構成を有する塵埃貯留ユニット５０がメンテナンスされる際に、ユーザが行う動作について説明する。
【００７８】
先ず、ユーザは、運転を停止した室内機１００のケーシング１１から塵埃貯留ユニット５０を取り出す。この時、塵埃貯留ユニット５０の蓋部５３は、スライドロック機構６２によって貯留部５１にロックされた状態となっている。
【００７９】
取り出した塵埃貯留ユニット５０の貯留部５１が下側、蓋部５３が上側に位置する状態にて（図５，６）、ユーザは、片手で貯留部５１を支え、もう片方の手で蓋部５３のスライド用つまみ７０を第２方向Ｄ２へスライドさせる（図６）。これにより、スライドロック機構６２の各係止部６３，６４は互いに離れて、蓋部５３は貯留部５１に対するロックが解除された状態となる。しかし、貯留部５１及び蓋部５３は、ヒンジ連結機構５９により、蓋部５３及び貯留部５１における互いに対向する長辺５１ｂ，５３ｅ同士が連結された状態となっている。即ち、蓋部５３は、貯留部５１に対し回動可能に連結された状態であると言える。
【００８０】
次いで、ユーザは、片手で貯留部５１を支えたまま、もう片方の手で蓋部５３を回動軸６０周りに回動させる。これより、蓋部５３は、その長手方向（Ｗ方向）を中心として貯留部５１に対して回動することができ（図７）、開口部５２が露出する。従って、ユーザは、塵埃貯留ユニット５０のメンテナンスとして、貯留部５１内部の塵埃を廃棄したり、あるいは塵埃を廃棄後の貯留部５１内を清掃したりすることができる。
【００８１】
（３−２）メンテナンス後の塵埃貯留ユニットを室内機に装着する場合
次に、メンテナンス後の塵埃貯留ユニット５０を室内機１００のケーシング１１に装着する場合に、ユーザが行う動作について説明する。
【００８２】
上記手順にてメンテナンスを行った後の塵埃貯留ユニット５０に対し、ユーザは、片手で貯留部５１を支えつつ、もう片方の手で、開口部５２を露出させる場合とは逆方向に、蓋部５３を回動軸６０周りに回動させる。これにより、蓋部５３は、その長手方向（Ｗ方向）を中心として回動し、やがて開口部５２は、蓋部５３によって覆われるようになる（図５，６）。
【００８３】
次いで、ユーザは、片手で貯留部５１を支えたまま、もう片方の手で蓋部５３のスライド用つまみ７０を第１方向Ｄ１へスライドさせる（図６）。これにより、互いに離れていたスライドロック機構６２の各係止部６３，６４は、互いに係止され、蓋部５３は貯留部５１に対しロックされた状態となる。この時、ヒンジ連結機構５９は、貯留部５１及び蓋部５３の各長辺５１ｂ，５３ｅ同士を連結した状態のままである。
【００８４】
次いで、ユーザは、ロック状態を採る塵埃貯留ユニット５０を、室内機１００のケーシング１１における所定位置に装着する。これにより、塵埃貯留ユニット５０におけるブラシ５５の回転中心軸５５ａは、ケーシング１１内部のブラシ駆動モータの出力軸と連結され、ブラシ５５は、フィルタ３１の清掃可能な状態となる。
【００８５】
（４）特徴
（４−１）
本実施形態に係る塵埃貯留ユニット５０は、図４〜１０に示すように、貯留部５１と、蓋部５３と、ヒンジ連結機構５９と、スライドロック機構６２とを備える。ヒンジ連結機構５９は、蓋部５３が貯留部５１に対し回動することで開姿勢を採るように、貯留部５１及び蓋部５３をヒンジ式で連結する。スライドロック機構６２は、蓋部５３が閉姿勢を採る際に、蓋部５３が貯留部５１に対し第１方向Ｄ１にスライドされた場合には、蓋部５３の回動を禁止する。また、スライドロック機構６２は、蓋部５３が貯留部５１に対し第２方向Ｄ２にスライドされた場合には、蓋部５３を回動可能にする。
【００８６】
このような塵埃貯留ユニット５０によると、貯留部５１内の塵埃を廃棄する際、先ずはユーザによって蓋部５３を第２方向Ｄ２にスライドする作業が行われる。これにより、蓋部５３及び貯留部５１のロックが外され、蓋部５３は貯留部５１に対して回動できるようになる。つまり、スライドによりロックが外された状態時、蓋部５３は貯留部５１から完全に取り外されるのではなく、それらの一部がヒンジ連結機構５９により互いに連結された状態となる。従って、スライドにより、蓋部５３と貯留部５１とのロックを静かに解除することができると共に、ユーザが誤って塵埃貯留ユニット５０を落としてしまったとしても、貯留部５１には蓋部５３が連結されているため、その反動で塵埃が飛び散る危険性が抑えられる。そして、スライドによって蓋部５３と貯留部５１とのロックを解除した場合に、蓋部５３を誤って落下させてしまうことを防止することもできる。更には、貯留部５１内のメンテナンスを行う際や、貯留部５１内の塵埃を廃棄する際、ユーザは片手で塵埃貯留ユニット５０を持つことができ、ユーザは作業がし易くなる。
【００８７】
（４−２）
また、蓋部５３は、ブラシ５５を支持している。これにより、ブラシ５５は、蓋部５３と共に回動することとなる。
【００８８】
（４−３）
特に、ブラシ５５は、蓋部５３が閉姿勢を採る場合に、貯留部５１側ではなく外側を向く蓋部５３の表面５３ｃ上に位置している。そして、蓋部５３には、ブラシ５５に対応する位置に、塵埃流入用孔５４が設けられている。
【００８９】
これにより、ブラシ５５は、フィルタ３１と直接接触してフィルタ３１から塵埃を除去することができる。そして、除去された塵埃は、蓋部５３の塵埃流入用孔５４を介して貯留部５１の内部に確実に溜められるようになる。
【００９０】
（４−４）
また、貯留部５１及び蓋部５３は、室内機１００のケーシング１１の長手方向（Ｗ方向）に沿って延びている。そして、図６に示すように、スライド方向である第１方向Ｄ１及び第２方向Ｄ２は、貯留部５１及び蓋部５３の長手方向に沿う方向である。
【００９１】
これにより、蓋部５３を貯留部５１に対してスライドさせる距離が十分に確保される。そして、蓋部５３が長手方向（Ｗ方向）にスライドされることで、簡単に蓋部５３は回動可能な状態となるため、ユーザの作業性が向上する。
【００９２】
（４−５）
また、本実施形態に係るヒンジ連結機構５９は、図８〜１０に示すように、貯留部５１及び蓋部５３の長手方向（Ｗ方向）に沿って延びる蓋部５３側の回動軸６０と、この回動軸６０を貯留部５１側の所定位置で支持する軸受６１とで構成されている。
【００９３】
このような簡単な構成のヒンジ連結機構５９により、蓋部５３は長手方向（Ｗ方向）を軸として回動することができる。
【００９４】
（４−６）
また、本実施形態に係るスライドロック機構６２は、図８〜１０に示すように、蓋部５３側に設けられた蓋側係止部６４と、貯留部５１側に設けられた貯留側係止部６３によって構成されている。図１１に示すように、蓋部５３が第１方向Ｄ１にスライドされた際、蓋側係止部６４と貯留側係止部６３とが互いに係止されることで、蓋部５３の回動が禁止される。蓋部５３が第２方向Ｄ２にスライドされた際、蓋側係止部６４と貯留側係止部６３とが互いに離れることで、蓋部５３の回動が可能になる。
【００９５】
このような簡単な構成のスライドロック機構６２により、蓋部５３と貯留部５１とは容易にロック／ロック解除されるようになる。
【００９６】
（５）変形例
以上、本発明の実施形態について図面に基づいて説明したが、具体的な構成は、発明の要旨を逸脱しない範囲で以下のように変更可能である。
【００９７】
（５−１）変形例Ａ
上記実施形態では、図８〜９に示すように、ヒンジ連結機構５９を構成する回動軸６０が蓋部５３側に設けられ、軸受６１が貯留部５１側に設けられている場合について説明した。
【００９８】
しかし、回動軸６０は、蓋部５３側ではなく貯留部５１側に設けられ、軸受６１は、貯留部５１側ではなく蓋部５３側に設けられても良い。
【００９９】
（５−２）変形例Ｂ
上記実施形態では、図８，１０に示すように、スライドロック機構６２が、貯留部５１側及び蓋部５３側それぞれに設けられた貯留側係止部６３及び蓋側係止部６４によって構成される場合について説明した。
【０１００】
しかし、スライドロック機構６２は、蓋部５３が貯留部５１に対してスライドされた場合には、蓋部５３を回動可能な状態または回動不可能な状態にすればよく、その具体的な構成は上記実施形態で述べた構成以外の構成であってもよい。
【０１０１】
（５−３）変形例Ｃ
上記実施形態の塵埃貯留ユニット５０において、貯留部５１の内部に塵埃がどの程度溜められたのかを検知するセンサが、貯留部５１内部等に更に設けられていても良い。所定量以上の塵埃が貯留部５１内に溜められたことをセンサが検知した場合、この検知結果が、室内機１００の前面板１１ｂに設けられた表示部やリモートコントローラの表示部等に表示されることが望ましい。これにより、ユーザは、塵埃貯留ユニット５０を室内機１００のケーシング１１から取り外して、目視により塵埃の量を確認せずとも、塵埃が所定量以上貯留されたことを知ることができる。
【０１０２】
（５−４）変形例Ｄ
上記実施形態の塵埃貯留ユニット５０は、圧縮ローラを更に備えていても良い。圧縮ローラは、円柱状の棒状部材であって、例えば貯留部５１の内側であって且つ蓋部５３付近において回転可能に支持されることができる。または、圧縮ローラは、例えばブラシ清掃部５７の付近において、ブラシ５５に接触するようにして位置していてもよい。
【０１０３】
この圧縮ローラを塵埃貯留ユニット５０内に設けることで、貯留部５１内に溜まった塵埃が圧縮され、貯留部５１内には比較的多くの塵埃を貯留することができるようになる。更に、圧縮ローラの回転により、比較的粘度の高い塵埃を、貯留部５１へと確実に送ることも可能となる。
【産業上の利用可能性】
【０１０４】
本発明によれば、スライドにより、蓋部と貯留部とのロックを静かに解除することができる。また、ユーザが誤って塵埃貯留ユニットを落としてしまったとしても、貯留部には蓋部が連結されているため、その反動で塵埃が飛び散る危険性が抑えられる。そして、スライドによって蓋部と貯留部とのロックを解除した場合に、蓋部を誤って落下させてしまうことを防止することもできる。更には、貯留部内のメンテナンスを行う際や、貯留部内の塵埃を廃棄する際、ユーザは片手で塵埃貯留ユニットを持つことができ、ユーザは作業がし易くなる。そのため、本発明に係る塵埃貯留ユニットは、フィルタの自動清掃を行う空調室内機の室内機において適用することができる。
【符号の説明】
【０１０５】
１００  空調室内機
１１  ケーシング
１１ａ  天面板
１１ｂ  前面板
１１ｃ  背面板
１３  室内熱交換器
１３ａ  前側熱交換部
１３ｂ  後側熱交換部
１３ｃ  頂点
１５  室内ファン
２１  吸込口
２２  吹出口
２３  水平フラップ
３０  フィルタユニット
３１  フィルタ
３２  メインフレーム
３６  駆動ローラ
５０  塵埃貯留ユニット
５１  貯留部
５１ａ  貯留部の内側の面
５１ｂ，５１ｃ  貯留部の長辺
５２  開口部
５３  蓋部
５３ａ，５３ｂ  蓋部の長手方向の端部
５３ｃ  蓋部の表面
５３ｄ  蓋部の裏面
５３ｅ，５３ｆ  蓋部の長辺
５４  塵埃流入用孔
５５  ブラシ
５５ａ  ブラシの回転中心軸
５６ａ  芯材
５６ｂ  線材
５７  ブラシ用清掃部
５９  ヒンジ連結機構
６０  回動軸
６１  軸受
６２  スライドロック機構
６３  貯留側係止部
６３ａ  貯留側係止部の突出部分
６３ｂ  貯留側係止部の折り曲げ部分
６４  蓋側係止部
６５  開口
６４ａ  蓋側係止部の突出部分
６４ｂ  蓋側係止部の折り曲げ部分
７０  スライド用つまみ
【先行技術文献】
【特許文献】
【０１０６】
【特許文献１】特開２００８−２１５７０９号公報
【図１】
2013238383.tif 000003
【図２】
2013238383.tif 000004
【図３】
2013238383.tif 000005
【図４】
2013238383.tif 000006
【図５】
2013238383.tif 000007
【図６】
2013238383.tif 000008
【図７】
2013238383.tif 000009
【図８】
2013238383.tif 000010
【図９】
2013238383.tif 000011
【図１０】
2013238383.tif 000012
【図１１】
2013238383.tif 000013